(57)【要約】【課題】点灯時に照明としての機能だけではなく、装飾効果を得ることが可能な有機ＥＬ発光システムを開発することを課題とする。【解決手段】複数の有機ＥＬパネルが面状に広がりをもって敷設されて１つの発光平面２１を形成し、発光平面２１と、発光平面２１に対する法線ｎとの間に形成される角度であって、法線ｎを基準として−３０度〜３０度の角度から発光平面２１を観察した場合において、発光平面２１の色温度の分布Ｄｖは、最大色温度と最小色温度の差が３００Ｋ以下となっており、発光平面２１と、発光平面２１に対する法線ｎとの間に形成される角度であって、法線ｎを基準として−８０度〜−５０度又は５０度〜８０度の角度から発光平面２１を観察した場合において、発光平面２１の色温度の分布Ｄｈは、最大色温度と最小色温度の差が５００Ｋ以上となっている。【選択図】図８
2014072204.tif 000002
【特許請求の範囲】
【請求項１】
複数の有機ＥＬ発光パネルが面状に広がりをもって敷設されて１つの発光平面を形成する有機ＥＬ発光システムにおいて、
前記有機ＥＬ発光パネルは、基材上に、２層の電極層と、有機発光層が前記電極層に挟まれた断面構造を備えるものであり、
前記発光平面と、発光平面に対する法線との間に形成される角度であって、法線を基準として−３０度〜３０度の範囲の所定の角度から当該発光平面を観察した場合において、
前記発光平面を形成する有機ＥＬ発光パネルのうち、最大色温度を有する有機ＥＬ発光パネルと最小色温度を有する有機ＥＬ発光パネルとの間の色温度の差が４００Ｋ以下となっており、
前記発光平面と、発光平面に対する法線との間に形成される角度であって、法線を基準として−８０度〜−５０度又は５０度〜８０度の範囲の所定の角度から当該発光平面を観察した場合において、
前記発光平面を形成する有機ＥＬ発光パネルのうち、最大色温度を有する有機ＥＬ発光パネルと最小色温度を有する有機ＥＬ発光パネルとの間の色温度の差が５００Ｋ以上となっていることを特徴とする有機ＥＬ発光システム。
【請求項２】
視野角依存性が相違する複数種類の有機ＥＬ発光パネルから形成されるものであって、
当該複数種類の有機ＥＬ発光パネルのうち、少なくとも１種類の有機ＥＬ発光パネルは、
前記発光平面と、発光平面に対する法線との間に形成される角度であって、法線を基準として−８０度〜８０度の角度から当該発光平面を観察した場合において、
前記１種類の有機ＥＬ発光パネルの−８０度〜８０度の範囲の各角度のうち、最大色温度と最小色温度の差が７００Ｋ以下となっていることを特徴とする請求項１に記載の有機ＥＬ発光システム。
【請求項３】
視野角依存性が相違する複数種類の有機ＥＬ発光パネルから形成されるものであって、
当該複数種類の有機ＥＬ発光パネルのうち、少なくとも１種類の有機ＥＬ発光パネルは、
前記発光平面と、発光平面に対する法線との間に形成される角度であって、法線を基準として−８０度〜８０度の角度から当該発光平面を観察した場合において、
前記１種類の有機ＥＬ発光パネルの−８０度〜８０度の範囲の各角度のうち、最大色温度と最小色温度の差が１２００Ｋ以上となっていることを特徴とする請求項１又は２に記載の有機ＥＬ発光システム。
【請求項４】
視野角依存性が相違する複数種類の有機ＥＬ発光パネルから形成されるものであって、
当該複数種類の有機ＥＬ発光パネルのうち、少なくとも１種類の有機ＥＬ発光パネルは、
前記電極層のうち、一方の電極層と有機発光層との間に電子輸送層が介在しており、
当該電子輸送層は、非発光性の有機材料で形成されており、
当該電子輸送層の厚みは、３０ｎｍ以上３００ｎｍ以下となっていることを特徴とする請求項１乃至３のいずれかに記載の有機ＥＬ発光システム。
【請求項５】
視野角依存性が相違する複数種類の有機ＥＬ発光パネルから形成されるものであって、当該複数種類の有機ＥＬ発光パネルのうち、少なくとも１種類の有機ＥＬ発光パネルは、発光平面の一部を形成する発光面を偏光フィルムが覆っていることを特徴とする請求項１乃至４のいずれかに記載の有機ＥＬ発光システム。
【発明の詳細な説明】
【技術分野】
【０００１】
本発明は、有機ＥＬ（Electro Luminescence）発光パネルを用いた有機ＥＬ発光システムに関するものである。特に本発明は、有機ＥＬ発光パネルの視野角特性の違いを利用した有機ＥＬ発光システムに関するものである。
【背景技術】
【０００２】
近年、白熱灯や蛍光灯に代わる照明装置として有機ＥＬ発光パネルが注目され、多くの研究がなされている。
【０００３】
ここで、有機ＥＬ発光パネルは、有機ＥＬ装置に封止構造やケーシングを施したものである。また、有機ＥＬ装置は、ガラス基板等の基材に、有機ＥＬ素子を積層し、この有機ＥＬ素子に給電するための給電構造を形成したものである。
そして、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
すなわち、有機ＥＬ発光パネルは、自発光デバイスであり、発光層の材料を適宜選択することにより、種々の波長の光を発光することができる。
【０００４】
また、有機ＥＬ発光パネルは、白熱灯や蛍光灯、ＬＥＤ照明に比べて厚さが極めて小さくて軽量であり、且つ面状に発光するので、設置場所の制約が少ないという特長を有している。さらに、有機ＥＬ発光パネルは、白熱灯や蛍光灯に比べて発光効率が高いので消費電力が少なく、発熱が少ないという特長も有している。
【０００５】
近年の照明機器は、単なる直接照明としての機能だけではなく、空間のデザイン性を高めるといった付加的な機能が求められている。例えば、使用者の趣味に合わせた装飾機能等を有した照明機器が求められている。
【先行技術文献】
【特許文献】
【０００６】
【特許文献１】特開２０１２−６９２５７号公報
【発明の概要】
【発明が解決しようとする課題】
【０００７】
ところで、有機ＥＬ装置を使用した照明装置（以下、有機ＥＬ照明装置ともいう）は、ＬＥＤ等の照明に比べて視野角特性が良好であるものの、発光面を見る方向（角度）によって、見え方が異なってしまう。そのため、近年の有機ＥＬ照明装置では、主に視野角特性をさらに向上させるための工夫が施されている（例えば、特許文献１）。
【０００８】
発明者は、従来と同様、視野角特性を向上させるための研究を重ねた結果、視野角特性は、有機ＥＬ装置の組成の変更や有機ＥＬ装置の発光面に偏光フィルムを貼ることによって、ある程度、視野角特性を所定の条件（例えば、所望の色温度の範囲）に制御できることを発見した。
そこで、発明者は、視野角依存性があることを逆手にとって、視野角依存性が異なる複数の有機ＥＬ装置を並べることによって、点灯時に照明としての機能だけではなく、装飾効果を得ることを試み、開発を行った。
【０００９】
すなわち、本発明は、点灯時に照明としての機能だけではなく、装飾効果を得ることが可能な有機ＥＬ発光システムを開発することを課題とするものである。
【課題を解決するための手段】
【００１０】
上記した課題を解決するための請求項１に記載の発明は、複数の有機ＥＬ発光パネルが面状に広がりをもって敷設されて１つの発光平面を形成する有機ＥＬ発光システムにおいて、前記有機ＥＬ発光パネルは、基材上に、２層の電極層と、有機発光層が前記電極層に挟まれた断面構造を備えるものであり、前記発光平面と、発光平面に対する法線との間に形成される角度であって、法線を基準として−３０度〜３０度の範囲の所定の角度から当該発光平面を観察した場合において、前記発光平面を形成する有機ＥＬ発光パネルのうち、最大色温度を有する有機ＥＬ発光パネルと最小色温度を有する有機ＥＬ発光パネルとの間の色温度の差が４００Ｋ以下となっており、前記発光平面と、発光平面に対する法線との間に形成される角度であって、法線を基準として−８０度〜−５０度又は５０度〜８０度の範囲の所定の角度から当該発光平面を観察した場合において、前記発光平面を形成する有機ＥＬ発光パネルのうち、最大色温度を有する有機ＥＬ発光パネルと最小色温度を有する有機ＥＬ発光パネルとの間の色温度の差が５００Ｋ以上となっていることを特徴とする有機ＥＬ発光システムである。
【００１１】
ここでいう「有機ＥＬ発光パネル」とは、２つの電極と有機発光層を備えた有機ＥＬパネルのことであり、タンデム構造（多層構造）の有機ＥＬパネルを含み、さらに、パッシブマトリクス駆動方式やアクティブマトリクス駆動方式が可能な有機ＥＬマトリクスを含む概念である。
ここでいう「色温度」とは、黒体軌跡上の点である色温度だけではなく、黒体軌跡上の点の近傍の点を表す相関色温度も含む。
【００１２】
本発明の構成によれば、前記発光平面と、発光平面に対する法線との間に形成される角度であって、法線を基準として−３０度〜３０度の範囲の所定の角度から当該発光平面を観察した場合において、前記発光平面を形成する有機ＥＬ発光パネルのうち、最大色温度を有する有機ＥＬ発光パネルと最小色温度を有する有機ＥＬ発光パネルとの間の色温度の差が４００Ｋ以下となっている。すなわち、使用者が発光平面を見た際の視認する角度（発光平面を使用者が見る角度）が−３０度から３０度となる範囲において、所定の視認する角度における複数の有機ＥＬ発光パネルのうち、最大色温度となる有機ＥＬ発光パネルと最小色温度を有する有機ＥＬ発光パネルとの間の色温度の差が４００Ｋ以下となっている。つまり、視認する角度が−３０度から３０度となる範囲では、色温度差（青紫光と赤色光の比率の差）が小さいため、有機ＥＬ発光パネル間の発光色の見え方の違い（濃淡差）が小さく、通常の照明と同様、発光平面を形成する全ての有機ＥＬ発光パネルがほぼ同色の色に発光しているように見える。
また、本発明の構成によれば、発光平面と、発光平面に対する法線との間に形成される角度であって、法線を基準として−８０度〜−５０度又は５０度〜８０度の範囲の所定の角度から当該発光平面を観察した場合において、前記発光平面を形成する有機ＥＬ発光パネルのうち、最大色温度を有する有機ＥＬ発光パネルと最小色温度を有する有機ＥＬ発光パネルとの間の色温度の差が５００Ｋ以上となっている。すなわち、使用者が発光平面を見た際の視認する角度が−８０度から−５０度又は５０度から８０度となる範囲において、所定の視認する角度における複数の有機ＥＬ発光パネルのうち、最大色温度となる有機ＥＬ発光パネルと最小色温度を有する有機ＥＬ発光パネルとの間の色温度の差は５００Ｋ以上となっている。つまり、視認する角度が−８０度から−５０度又は５０度から８０度となる範囲では色温度差（青紫光と赤色光の比率の差）が大きいため、有機ＥＬ発光パネル間の発光色の見え方の違い（濃淡差）が大きく、有機ＥＬ発光パネル間で発光色の濃淡が明確にでる。言い換えると、所定の有機ＥＬ発光パネルは、他の有機ＥＬ発光パネルに対して青紫光又は赤色光の強度が強く出る。
このように、視認する角度の違いによって、使用者からの見え方が異なり、例えば、視認する角度における見え方の違いを利用して模様等を形成することで、当該模様等が浮き上がっているかのように使用者に印象づけることができる。
【００１３】
請求項２に記載の発明は、視野角依存性が相違する複数種類の有機ＥＬ発光パネルから形成されるものであって、当該複数種類の有機ＥＬ発光パネルのうち、少なくとも１種類の有機ＥＬ発光パネルは、前記発光平面と、発光平面に対する法線との間に形成される角度であって、法線を基準として−８０度〜８０度の角度から当該発光平面を観察した場合において、前記１種類の有機ＥＬ発光パネルの−８０度〜８０度の範囲の各角度のうち、最大色温度と最小色温度の差が７００Ｋ以下となっていることを特徴とする請求項１に記載の有機ＥＬ発光システムである。
【００１４】
ここでいう「視野角依存性」とは、発光平面を見る方向（角度）によってコントラスト比や色の見え方が異なる性質のことをいう。
【００１５】
本発明の構成によれば、少なくとも１種類の有機ＥＬ発光パネルは、−８０度〜８０度の範囲のそれぞれの角度の間での最大色温度と最小色温度の差が７００Ｋ以下となっているものが採用されている。すなわち、前記少なくとも１種類の有機ＥＬ発光パネルの視認する角度による発光色の見え方の違いが小さい。そのため、視野角依存性の大きい有機ＥＬ発光パネルとの組み合わせにより、模様等を形成することができる。すなわち、視認する角度によって模様等が異なって見え、装飾効果が大きい。
【００１６】
請求項３に記載の発明は、視野角依存性が相違する複数種類の有機ＥＬ発光パネルから形成されるものであって、当該複数種類の有機ＥＬ発光パネルのうち、少なくとも１種類の有機ＥＬ発光パネルは、前記発光平面と、発光平面に対する法線との間に形成される角度であって、法線を基準として−８０度〜８０度の角度から当該発光平面を観察した場合において、前記１種類の有機ＥＬ発光パネルの−８０度〜８０度の範囲の各角度のうち、最大色温度と最小色温度の差が１２００Ｋ以上となっていることを特徴とする請求項１又は２に記載の有機ＥＬ発光システムである。
【００１７】
本発明の構成によれば、少なくとも１種類の有機ＥＬ発光パネルは、−８０度〜８０度の範囲のそれぞれの角度の間での最大色温度と最小色温度の差が１２００Ｋ以下となっているものが採用されている。すなわち、前記少なくとも１種類の有機ＥＬ発光パネルの視認する角度による発光色の見え方の違いが大きい。そのため、視野角依存性の小さい有機ＥＬ発光パネルとの組み合わせにより、模様等を形成することができる。すなわち、視認する角度によって模様等が異なって見え、装飾効果が大きい。
【００１８】
請求項４に記載の発明は、視野角依存性が相違する複数種類の有機ＥＬ発光パネルから形成されるものであって、当該複数種類の有機ＥＬ発光パネルのうち、少なくとも１種類の有機ＥＬ発光パネルは、前記電極層のうち、一方の電極層と有機発光層との間に電子輸送層が介在しており、当該電子輸送層は、非発光性の有機材料で形成されており、当該電子輸送層の厚みは、３０ｎｍ以上３００ｎｍ以下となっていることを特徴とする請求項１乃至３のいずれかに記載の有機ＥＬ発光システムである。
【００１９】
本発明の構成によれば、電子輸送層の厚みは、３０ｎｍ以上３００ｎｍ以下となっている。すなわち、電子輸送層の厚みによって、各視認する角度における色温度を制御している。具体的には、最大色温度と最小色温度の差が所定の大きさ以上に離れるように制御しており、他の有機ＥＬ発光パネル間で視認する角度における発光色の見え方に違いを出しやすくしている。そのため、視野角依存性が相違する有機ＥＬ発光パネルを選択しやすい。
【００２０】
請求項５に記載の発明は、視野角依存性が相違する複数種類の有機ＥＬ発光パネルから形成されるものであって、当該複数種類の有機ＥＬ発光パネルのうち、少なくとも１種類の有機ＥＬ発光パネルは、発光平面の一部を形成する発光面を偏光フィルムが覆っていることを特徴とする請求項１乃至４のいずれかに記載の有機ＥＬ発光システムである。
【００２１】
本発明の構成によれば、発光平面の一部を形成する発光面を偏光フィルムが覆っている。すなわち、偏光フィルムによって、各視認する角度における色温度を制御している。具体的には、最大色温度と最小色温度の差が所定の大きさ以上に離れるように制御しており、他の有機ＥＬ発光パネル間で視認する角度における発光色の見え方に違いを出しやすくしている。そのため、視野角依存性が相違する有機ＥＬ発光パネルを選択しやすい。
【発明の効果】
【００２２】
本発明の有機ＥＬ発光システムによれば、視認する角度における発光色の見え方の違いを利用して例えば、図形等を表示することが可能であり、デザイン性に優れている。
【図面の簡単な説明】
【００２３】
【図１】本発明の有機ＥＬ発光システムの斜視図である。
【図２】色度図と色温度との関係を表す説明図である。
【図３】図１の第１有機ＥＬパネル及び第２有機ＥＬパネルにおける視認する角度と色温度との関係を表す説明図である。
【図４】図１の有機ＥＬ発光システムを発光平面の法線上（０度）からみた際の見え方を表す説明図である。
【図５】図１の有機ＥＬ発光システムを発光平面の法線に対して３０度の角度からみた際の見え方を表す説明図である。
【図６】図１の有機ＥＬ発光システムを発光平面の法線に対して５０度の角度からみた際の見え方を表す説明図である。
【図７】図１の有機ＥＬ発光システムを発光平面の法線に対して７０度の角度からみた際の見え方を表す説明図である。
【図８】図１の有機ＥＬ発光システムを発光平面の法線に対して８０度の角度からみた際の見え方を表す説明図である。
【図９】図４の状態の有機ＥＬ発光システムにおける各有機ＥＬパネルの色温度の分布を表す説明図である。
【図１０】図７の状態の有機ＥＬ発光システムにおける各有機ＥＬパネルの色温度の分布を表す説明図である。
【図１１】本発明の有機ＥＬパネルの層構成の模式図である。
【発明を実施するための形態】
【００２４】
以下、本発明の実施形態について詳細に説明する。
なお、以下の説明において、特に断りがない限り、有機ＥＬ発光システム１の上下左右の位置関係は、図１の姿勢を基準に説明する。すなわち、有機ＥＬ発光システム１を天井２０と平行にし、有機ＥＬ発光システム１の光取出側（発光平面２１側）の面が居住空間側（使用者側）を向いている状態を基準とする。なお、以下の色温度の値については、特に断りの無い限り、ＪＩＳ  Ｚ  ８７２５：１９９９に準じて算出した値を表す。
【００２５】
本実施形態の有機ＥＬ発光システム１は、図１のように複数の有機ＥＬパネル２が並設されて、１つの照明装置として使用されるものである。すなわち、有機ＥＬ発光システム１は、複数の有機ＥＬパネル２が面状に広がりをもって敷設されて形成されている。
本実施形態では、行方向ｌに５枚ずつ、列方向ｗに５枚ずつ、計２５枚の有機ＥＬパネル２が碁盤状に敷き詰められており、一つの発光平面２１を形成している。
【００２６】
また、本実施形態の有機ＥＬ発光システム１では、視野角依存性が異なる２種類の有機ＥＬパネル２ａ，２ｂが敷き詰められて形成されている。すなわち、有機ＥＬ発光システム１には、意図的に、視認する角度によって色温度の変動が大きい（視野角依存性が大きい）有機ＥＬパネル（以下、第１有機ＥＬパネル２ａともいう）と、当該第１有機ＥＬパネル２ａに比べて、視認する角度によって色温度の変動が小さい（視野角依存性が小さい）有機ＥＬパネル（以下、第２有機ＥＬパネル２ｂともいう）を混在させている。
そして、有機ＥＬ発光システム１は、第１有機ＥＬパネル２ａを所望の図形形状に敷き詰めることによって、第２有機ＥＬパネル２ｂに対して、所定の視認する角度の範囲にのみ当該図形形状が浮かび上がる構成となっている。
具体的には、第１有機ＥＬパネル２ａを中央側に敷設し、第２有機ＥＬパネル２ｂを外側に敷設することで、図２の色度図に示される黒体軌道上に表される色温度の違いによって、第１有機ＥＬパネル２ａの図形を浮かび上がらせる構成としている。
なお、本実施形態では、５枚の第１有機ＥＬパネル２ａを中央側に十字に並べ、２０枚の第２有機ＥＬパネル２ｂをそれらの周辺部に並べることによって、十字の模様が浮かび上がるように敷設している。
【００２７】
第１有機ＥＬパネル２ａ及び第２有機ＥＬパネル２ｂのそれぞれの特性について説明すると、図３で表されるように、第１有機ＥＬパネル２ａ及び第２有機ＥＬパネル２ｂは、ともに見る角度（発光平面２１に対する法線を基準として傾ける角度）が大きくなるにつれて色温度が大きくなる傾向となっており、法線ｎ上（０度）においてピークボトムを取り、法線ｎに対して７０度（−７０度）でピークトップを取る。すなわち、第１有機ＥＬパネル２ａと第２有機ＥＬパネル２ｂは、法線上から発光平面２１に向けて傾ける方向になす角度が大きくなるにつれて色温度が大きくなっている。
【００２８】
第１有機ＥＬパネル２ａの特性に注目すると、法線ｎを基準として０度（法線ｎ上）から８０度（発光平面２１を基準として１０度）における第１有機ＥＬパネル２ａの最大色温度と最小色温度の差（ピークトップとピークボトムの差）は、１２００Ｋ以上となっており、１３００Ｋ以上となっていることが好ましい。
また、第２有機ＥＬパネル２ｂの特性に注目すると、法線ｎを基準として０度（法線ｎ上）から８０度（発光平面２１を基準として１０度）における第２有機ＥＬパネル２ｂの最大色温度と最小色温度の差（ピークトップとピークボトムの差）は、７００Ｋ以下となっており、６００Ｋ以下となっていることが好ましい。
【００２９】
以下、有機ＥＬ発光システム１の発光平面２１の法線ｎに対する各角度における使用者からの見え方について説明する。
まず、有機ＥＬ発光システム１の発光平面２１を法線ｎ（０度）上から見た場合（発光平面２１を真正面から見た場合）の見え方について説明すると、図３，図９のように第１有機ＥＬパネル２ａと第２有機ＥＬパネル２ｂとの間で色温度にほとんど差がない。具体的には、０度において、発光平面２１内の最大色温度となる第１有機ＥＬパネル２ａの色温度と、発光平面２１内の最小色温度となる第２有機ＥＬパネル２ｂの色温度との差Ｄｖは、３００Ｋ以下となっており、２５０Ｋ以下となっていることが好ましい。
ここで、色温度は、青紫光と赤色光の相対的な強さであり、図２に示される黒体軌跡上の対応する色あるいは黒体軌跡近傍の色を表すことから、色温度の差が大きくなると発光色の見え方の差（濃淡差）が大きくなり、小さくなると発光色の見え方の差（濃淡差）が小さくなる。
そのため、法線ｎ（０度）上から見た場合、図４のように第１有機ＥＬパネル２ａの発光色と第２有機ＥＬパネル２ｂの発光色との間でほとんど差がなく、第１有機ＥＬパネル２ａの発光色と第２有機ＥＬパネル２ｂはほぼ同一色に見える。それ故に、有機ＥＬ発光システム１の発光平面２１は、全面が同じように発光しているように見える。
【００３０】
続いて、有機ＥＬ発光システム１を法線ｎから３０度の角度から見た場合（発光平面２１から６０度の角度から見た場合）の見え方について説明すると、図３のように発光平面２１を真正面から見た場合に比べて色温度に差があるものの第１有機ＥＬパネル２ａと第２有機ＥＬパネル２ｂとの間で色温度に大差がない。具体的には、３０度において、発光平面２１内の最大色温度となる第１有機ＥＬパネル２ａの色温度と、発光平面２１内の最小色温度となる第２有機ＥＬパネル２ｂの色温度との差は、４００Ｋ以下となっており、３５０Ｋ以下になっていることが好ましい。
そのため、図５のように第１有機ＥＬパネル２ａの発光色と第２有機ＥＬパネル２ｂの発光色との間であまり差がなく、第１有機ＥＬパネル２ａの発光色と第２有機ＥＬパネル２ｂはほとんど同一色に見える。それ故に、有機ＥＬ発光システム１の発光平面２１は、全面が同じように発光しているように見える。
【００３１】
このように、法線ｎを基準として０度から３０度の範囲においては、発光平面２１内の最大色温度となる第１有機ＥＬパネル２ａの色温度と、発光平面２１内の最小色温度となる第２有機ＥＬパネル２ｂの色温度の差は、４００Ｋ以内に収まっており、第１有機ＥＬパネル２ａの発光色と、第２有機ＥＬパネル２ｂの発光色は、ほぼ同一色に見える。つまり、法線ｎを基準として０度から３０度の範囲においては、有機ＥＬ発光システム１は、同一光の照明装置として機能する。
【００３２】
続いて、有機ＥＬ発光システム１を法線ｎから５０度の角度から見た場合（発光平面２１から４０度の角度から見た場合）の見え方について説明すると、図３のように発光平面２１を０度から３０度の範囲から見た場合に比べてあきらかに色温度に差がある。すなわち、第１有機ＥＬパネル２ａと第２有機ＥＬパネル２ｂとの間で色温度に差がある。具体的には、視認する角度が５０度の場合において、発光平面２１内の最大色温度となる第１有機ＥＬパネル２ａの色温度と、発光平面内の最小色温度となる第２有機ＥＬパネル２ｂの色温度との差は、５００Ｋ以上となっており、６００Ｋ以上となっていることが好ましい。
そのため、図６のように第１有機ＥＬパネル２ａの発光色と第２有機ＥＬパネル２ｂの発光色との間で差が見られ、第１有機ＥＬパネル２ａの発光面と第２有機ＥＬパネル２ｂの発光面間で見え方に違いがでる。すなわち、第１有機ＥＬパネル２ａの発光面と第２有機ＥＬパネル２ｂの発光面間で濃淡がでて、第２有機ＥＬパネル２ｂの発光面に対して第１有機ＥＬパネル２ａの発光面が白く浮き出ているように見える。言い換えると、第１有機ＥＬパネル２ａは赤色光に対する青紫光の割合が第２有機ＥＬパネル２ｂに比べて大きい。それ故に、有機ＥＬ発光システム１の発光平面２１は、第１有機ＥＬパネル２ａで表された図形（本実施形態では十字の形状）が浮かび上がっているように見える。
【００３３】
続いて、有機ＥＬ発光システム１を法線ｎから７０度の角度から見た場合（発光平面２１から２０度の角度から見た場合）の見え方について説明すると、図３，図１０のように発光平面２１を５０度から見た場合に比べてさらに色温度に差がある。すなわち、第１有機ＥＬパネル２ａと第２有機ＥＬパネル２ｂとの間で色温度に大差がある。
具体的には、視認する角度が７０度の場合において、発光平面２１内の最大色温度となる第１有機ＥＬパネル２ａの色温度と、発光平面２１内の最小色温度となる第２有機ＥＬパネル２ｂの色温度との差Ｄｈは、９００Ｋ以上となっており、１０００Ｋ以上となっていることが好ましい。
そのため、図７のように第１有機ＥＬパネル２ａの発光色と第２有機ＥＬパネル２ｂの発光色との間で明確な差が見られ、第１有機ＥＬパネル２ａの発光面と第２有機ＥＬパネル２ｂの発光面間で違いが大きくでる。すなわち、濃淡の差が激しく、第２有機ＥＬパネル２ｂの発光面に対して第１有機ＥＬパネル２ａの発光面がはっきりと白く浮き出ているように見える。言い換えると、第１有機ＥＬパネル２ａは赤色光に対する青紫光の割合が第２有機ＥＬパネル２ｂに比べて大きい。それ故に、有機ＥＬ発光システム１の発光平面２１は、第１有機ＥＬパネル２ａで表された図形がくっきりと浮かび上がっているように見える。
【００３４】
続いて、有機ＥＬ発光システム１を法線ｎから８０度の角度から見た場合（発光平面２１から１０度の角度から見た場合）の見え方について説明すると、図３のように発光平面２１を７０度から見た場合に比べて、第１有機ＥＬパネル２ａと第２有機ＥＬパネル２ｂとの間での色温度の差は小さくなるが、０度から３０度の範囲に比べて差はなお大きい。
具体的には、８０度において、発光平面２１内の最大色温度となる第１有機ＥＬパネル２ａの色温度と、発光平面２１内の最小色温度となる第２有機ＥＬパネル２ｂの色温度との差は、５００Ｋ以上となっている。
そのため、図８のように第１有機ＥＬパネル２ａの発光色と第２有機ＥＬパネル２ｂの発光色との間で差が見られ、第１有機ＥＬパネル２ａの発光面と第２有機ＥＬパネル２ｂの発光面間で濃淡の差がある。すなわち、第２有機ＥＬパネル２ｂの発光面に対して第１有機ＥＬパネル２ａの発光面が白く浮き出ているように見える。それ故に、有機ＥＬ発光システム１の発光平面２１は、第１有機ＥＬパネル２ａで表された図形が浮かび上がっているように見える。
【００３５】
このように、法線ｎを基準として５０度から７０度の範囲においては、使用者の目線と発光平面２１を結んだ直線が発光平面２１に対して平行な成分が大きくなる程、言い換えると、発光平面２１に対して垂直成分が小さくなるほど、第１有機ＥＬパネル２ａと第２有機ＥＬパネル２ｂの色温度差は大きくなり、法線ｎを基準として７０度から８０度の範囲においては、使用者の目線と発光平面２１を結んだ直線が発光平面２１に対して平行な成分が小さくなる程、言い換えると、発光平面２１に対して垂直成分が大きくなるほど、第１有機ＥＬパネル２ａと第２有機ＥＬパネル２ｂの色温度差は大きくなる。
また、法線ｎを基準として５０度〜８０度の範囲においては、発光平面２１内の最大色温度となる第１有機ＥＬパネル２ａの色温度と、発光平面内の最小色温度となる第２有機ＥＬパネル２ｂの色温度の差が、５００Ｋ以上に開いており、第１有機ＥＬパネル２ａの発光色と、第２有機ＥＬパネル２ｂの発光色は、異なる色のように見える。具体的には、第１有機ＥＬパネル２ａはより白くみえ、第２有機ＥＬパネル２ｂは、第１有機ＥＬパネル２ａに比べてうすく橙色が混ざった白色に見える。
【００３６】
以上をまとめると、本実施形態の有機ＥＬ発光システム１であれば、０度から３０度の範囲では、通常の直接照明と同様、単一色の照明として機能し、５０度から８０度の範囲では、複数の色の照明として機能し、図形等の所望の形状が浮かび上がる。そのため、点灯時に照明としての機能だけではなく、装飾効果を得ることが可能であり、デザイン性を向上させることができる。
【００３７】
最後に、有機ＥＬパネル２の層構成について説明する。本実施形態において、第１有機ＥＬパネル２ａと第２有機ＥＬパネル２ｂの層構成は、基本的には同じである。
有機ＥＬパネル２は、図１１のように透光性を有した基板３２（基材）上に有機ＥＬ素子３０を積層している。
有機ＥＬ素子３０は、図１１のように少なくとも第１電極層３３と第２電極層３６との間に実際に発光する機能層３５を備えたものである。本実施形態の有機ＥＬパネル２では、少なくとも基板３２側から光を取り出すいわゆる「ボトムエミッション型」の有機ＥＬパネル２を採用しており、有機ＥＬ素子３０は、基板３２側から第１電極層３３，機能層３５，第２電極層３６がこの順に積層されて形成されている。
【００３８】
基板３２の材質は、透明性と絶縁性を備えたものであれば、特に限定されるものではない。本実施形態では、ガラス基板を採用している。
【００３９】
第１電極層３３は、透明導電性酸化物によって形成された層であり、例えば、インジウム錫酸化物（ＩＴＯ）などが採用できる。
【００４０】
機能層３５は、図１１のように第１電極層３３と第２電極層３６との間に設けられ、少なくとも一層の有機発光層を備えた層である。具体的には、機能層３５の構成は、図１６のように、第１電極層３３側から順に、正孔注入層４０，正孔輸送層４１，有機発光層４２，電子輸送層４３，及び電子注入層４４を有している。
正孔注入層４０，正孔輸送層４１，有機発光層４２，電子輸送層４３，及び電子注入層４４はいずれも公知の有機材料等によって形成されている。
本実施形態では、電子輸送層４３の膜厚によって、視野角依存性を制御している。
具体的には、第１有機ＥＬパネル２ａの電子輸送層４３の膜厚は３０ｎｍ以上３００ｎｍ以下となっており、５０ｎｍ以上１００ｎｍ以下であることが好ましい。
一方、第２有機ＥＬパネル２ｂの電子輸送層４３の膜厚は５ｎｍ以上２５ｎｍ以下となっており、７ｎｍ以上１５ｎｍ以下であることが好ましい。
第１有機ＥＬパネル２ａの電子輸送層４３の膜厚を１としたときの第２有機ＥＬパネル２ｂの電子輸送層４３の膜厚は１．５以上１０以下となっており、２以上７以下となっていることが好ましい。
【００４１】
第２電極層３６は、第１電極層３３と一対となって電極を形成するものであれば、特に限定されるものではなく、例えば銀（Ａｇ）やアルミニウム（Ａｌ）などが採用できる。
【００４２】
上記した実施形態では、有機ＥＬパネル２として同時に全面が光る有機ＥＬパネルを採用したが、本発明はこれに限定されるものではなく、パッシブマトリックス構造やアクティブマトリックス構造を備えた有機ＥＬパネルのように所望の位置を発光させることが可能な有機ＥＬパネルであってもよい。
【００４３】
上記した実施形態では、有機ＥＬパネル２の電子輸送層の膜厚によって、視野角依存性を制御していたが、視野角依存性の制御方法は限定されない。例えば、有機ＥＬパネル２の発光面に偏光フィルムを取り付けて視野角依存性を制御してもよい。すなわち、偏光フィルムの有無によって視野角依存性を制御してもよいし、偏光フィルムの種類によって視野角依存性を制御してもよい。
【００４４】
上記した実施形態では、２種類の第１有機ＥＬパネル２ａと第２有機ＥＬパネル２ｂによって、所望の図形を表示したが、本発明はこれに限定されるものではなく、３種類以上の有機ＥＬパネルによって、図形等を表示してもよい。
【００４５】
上記した実施形態では、図形の一例として第１有機ＥＬパネル２ａを平面視して十字の形状に敷設したが、本発明はこれに限定されるものではなく、図形の形状は問わない。
【００４６】
上記した実施形態では、第１有機ＥＬパネル２ａを中央側に設け、第２有機ＥＬパネル２ｂを外側に設けることによって、第１有機ＥＬパネル２ａが浮かび上がる構成としたが、本発明はこれに限定されるものではなく、中央側に第２有機ＥＬパネル２ｂを敷設し、外側に第１有機ＥＬパネル２ａを敷設して、第２有機ＥＬパネル２ｂによって図形を形成してもよい。
【符号の説明】
【００４７】
１  有機ＥＬ発光システム
２  有機ＥＬパネル（有機ＥＬ発光パネル）
２ａ  第１有機ＥＬパネル（有機ＥＬ発光パネル）
２ｂ  第２有機ＥＬパネル（有機ＥＬ発光パネル）
２１  発光平面
３２  基板（基材）
３３  第１電極層（電極）
３５  機能層（有機発光層）
３６  第２電極層（電極）
４２  有機発光層
４３  電子輸送層
【図１】
2014072204.tif 000003
【図３】
2014072204.tif 000004
【図４】
2014072204.tif 000005
【図５】
2014072204.tif 000006
【図６】
2014072204.tif 000007
【図７】
2014072204.tif 000008
【図８】
2014072204.tif 000009
【図９】
2014072204.tif 000010
【図１０】
2014072204.tif 000011
【図１１】
2014072204.tif 000012
【図２】
2014072204.tif 000013